(57)【要約】【課題】携帯電話とテレビジョン受像機とをＨＤＭＩ規格に準拠した信号伝送手段を通じて接続した状態で、携帯電話を文字入力デバイスとして使用することを可能にした電子機器を提供する。【解決手段】テレビジョン受像機３から、ＨＤＭＩ規格に準拠した信号伝送を行う上記信号ケーブル２を介して当該テレビジョン受像機３に割り当てられているＣＥＣ論理アドレスから、上記テレビジョン受像機３がサポートしているＨＤＭＩ機能を特定するＨＤＭＩ機能特定部１３７と、特定されたＨＤＭＩ機能のうち、当該携帯電話機１において追加するＨＤＭＩ機能が含まれているか否かを判断するＨＤＭＩ機能判断部１３８とを備える。上記ＨＤＭＩ機能情報に、当該携帯電話機１において追加するＨＤＭＩ機能が含まれている場合、追加するＨＤＭＩ機能を、上記テレビジョン受像機３に対して、当該携帯電話機１を識別する識別ＩＤと対応付けてＨＤＭＩ追加機能として登録する。【選択図】図２
2012004742.tif 000002
【特許請求の範囲】
【請求項１】
ＨＤＭＩ（High Definition Multimedia Interface）規格に準拠した信号伝送を行う信号伝送手段を介して他の電子機器と接続される電子機器であって、
上記他の電子機器から、上記信号伝送手段を介して当該他の電子機器に割り当てられている各機能に対応付けられたＣＥＣ論理アドレスを一覧にしたＣＥＣ論理アドレス情報を取得する論理アドレス取得手段と、
上記論理アドレス取得手段により取得されたＣＥＣ論理アドレス情報から、上記他の電子機器がサポートしているＨＤＭＩ機能を特定するＨＤＭＩ機能特定手段と、
上記ＨＤＭＩ機能特定手段により特定されたＨＤＭＩ機能のうち、当該電子機器において追加するＨＤＭＩ機能が含まれているか否かを判断するＨＤＭＩ機能判断手段と、
上記ＨＤＭＩ機能判断手段により、上記ＨＤＭＩ機能に、当該電子機器において追加するＨＤＭＩ機能が含まれている場合、追加するＨＤＭＩ機能を、上記他の電子機器に対して、当該電子機器を識別する識別ＩＤと対応付けてＨＤＭＩ追加機能として登録させる指示信号を出力する指示信号出力手段とを備えていることを特徴とする電子機器。
【請求項２】
テレビジョン受像機に対して、ＨＤＭＩ（High Definition Multimedia Interface）規格に準拠した信号伝送を行う信号伝送手段を介して接続される電子機器であって、
上記テレビジョン受像機から、上記信号伝送手段を介して当該他の電子機器に割り当てられている各機能に対応付けられたＣＥＣ論理アドレスを一覧にしたＣＥＣ論理アドレス情報を取得する論理アドレス取得手段と、
上記論理アドレス取得手段により取得されたＣＥＣ論理アドレス情報から、上記テレビジョン受像機がサポートしているＨＤＭＩ機能を特定するＨＤＭＩ機能特定手段と、
上記ＨＤＭＩ機能特定手段により特定されたＨＤＭＩ機能のうち、当該電子機器において追加するＨＤＭＩ機能が含まれているか否かを判断するＨＤＭＩ機能判断手段と、
上記ＨＤＭＩ機能判断手段により、上記ＨＤＭＩ機能に、当該電子機器において追加するＨＤＭＩ機能が含まれている場合、追加するＨＤＭＩ機能を、上記テレビジョン受像機に対して、当該電子機器を識別する識別ＩＤと対応付けてＨＤＭＩ追加機能として登録させる指示信号を出力する指示信号出力手段とを備えていることを特徴とする電子機器。
【請求項３】
ユーザによる文字入力操作を受け付ける文字入力手段を有し、
上記テレビジョン受像機がサポートしているＨＤＭＩ機能が文字入力機能であるとき、上記指示信号出力手段は、上記文字入力手段による文字入力機能を、追加するＨＤＭＩ機能として、上記指示信号を出力することを特徴とする請求項２に記載の電子機器。
【請求項４】
プログラムに沿って実行されるアプリケーションを実行するアプリケーション実行手段を有し、
上記指示信号出力手段は、上記テレビジョン受像機にＨＤＭＩ追加機能が登録されている状態で、上記アプリケーション実行手段によるアプリケーションの実行の開始を検知すると、上記ＨＤＭＩ追加機能の登録を解除させる指示信号を出力することを特徴とする請求項２に記載の電子機器。
【請求項５】
機器本体の外部に存在する対象物を撮影する外部撮像手段を備え、
上記テレビジョン受像機がサポートしているＨＤＭＩ機能が外部撮影機能であるとき、上記指示信号出力手段は、上記外部撮像手段による外部撮影機能を、追加するＨＤＭＩ機能として、上記指示信号を出力することを特徴とする請求項２に記載の電子機器。
【請求項６】
機器本体の外部環境をセンシングするセンサ入力手段を備え、
上記テレビジョン受像機がサポートしているＨＤＭＩ機能がセンサ入力機能であるとき、上記指示信号出力手段は、上記センサ入力手段によるセンサ入力機能を、追加するＨＤＭＩ機能として、上記指示信号を出力することを特徴とする請求項２に記載の電子機器。
【請求項７】
電子機器と、ＨＤＭＩ（High Definition Multimedia Interface）規格に準拠した信号伝送を行う信号伝送手段を介して接続されるテレビジョン受像機であって、
上記電子機器からの要求に応じて、自身に割り当てられているＣＥＣ論理アドレスを、上記信号伝送手段を介して当該電子機器に出力する論理アドレス出力手段と、
上記電子機器からの要求に応じて、当該電子機器から上記信号伝送手段を介して送られた、追加するＨＤＭＩ機能と当該電子機器を識別する識別ＩＤとを対応付けたＨＤＭＩ追加機能を登録するＨＤＭＩ機能登録手段とを備えていることを特徴とするテレビジョン受像機。
【請求項８】
請求項２〜６の何れか１項に記載の電子機器と、請求項７に記載のテレビジョン受像機とで構成されていることを特徴とするテレビジョン受像機入力システム。
【発明の詳細な説明】
【技術分野】
【０００１】
本発明は、ＨＤＭＩ規格に準拠した信号伝送手段を通じて、電子機器とテレビジョン受像機とが通信可能に構成されたテレビジョン受像機操作システム、及びそれを構成する電子機器並びにテレビジョン受像機に関するものである。
【背景技術】
【０００２】
近年、テレビジョン受像機には、単にテレビ放送を視聴する機能だけでなく、インターネットに接続してＷｅｂブラウジング機能やメール送受信機能等の、より多くの多様な機能が搭載されている。これに伴い、テレビジョン受像機において、これら機能を利用する際に文字入力を行う機会が増えてきている。
【０００３】
一般的には、テレビ受信機において文字入力を行う場合、テレビ画面にソフトキーを表示させて、テレビ受信機用のリモコンを用いて表示されたソフトキーの文字を一つ一つ選択して入力する方法、テレビジョン受像機に専用のキーボードが付属している場合には、そのキーボードを利用して文字を入力する方法がとられている。
【０００４】
ところで、テレビ画面にソフトキーを表示させて文字入力を行う場合には、リモコンを操作して目的とする文字を探して入力する必要があり、手間がかかるという問題がある。また、専用のキーボードを用いて文字入力を行う場合には、上記のソフトキーを表示させて文字入力を行う場合に比べて操作性がよいという利点があるが、ユーザは、専用のキーボードを使用しなければならず、他のテレビ受信機で利用できないという問題がある。
【０００５】
そこで、汎用的なＵＳＢ（Universal Serial Bus）キーボードを用いて、テレビジョン受像機における文字入力を行うための構成が、例えば特許文献１に開示されている。
【０００６】
このＵＳＢキーボードは、テレビジョン受像機にＵＳＢ端子が備えられていれば使用可能となるので、専用のキーボードを用意する必要がないというメリットがある。
【０００７】
また、テレビジョン受像機の外部機器接続インターフェースとして、ＵＳＢ端子の他に、ＨＤＭＩ（High Definition Multimedia Interface）端子が普及してきている。このＨＤＭＩ端子は、テレビジョン受像機と外部機器との間で、映像信号、音声信号、制御信号の送受信を行うために使用されることが多いので、テレビジョン受像機にとって、ＵＳＢ端子よりも汎用性が高いといえる。
【０００８】
また、特許文献２には、携帯電話をＨＤＭＩ端子経由でテレビジョン受像機と接続することで、携帯電話の画面をテレビジョン受像機に出力したり、携帯電話からテレビジョン受像機を制御したり、テレビジョン受像機から携帯電話の動作を制御したりすることが開示されている。
【先行技術文献】
【特許文献】
【０００９】
【特許文献１】特開２００６−９４４４１号公報（２００６年４月６日公開）
【特許文献２】特開２００８−１０９３４１号公報（２００８年５月８日公開）
【発明の概要】
【発明が解決しようとする課題】
【００１０】
ところで、テレビジョン受像機の表示画面上に、文字を入力する方法として、上述した汎用性の高いＵＳＢキーボードを用いる方法がある。
【００１１】
しかしながら、ＵＳＢ端子を備えていないテレビジョン受像機では、汎用性の高いＵＳＢキーボードを使用することできず、専用キーボードによる文字入力か、あるいは表示画面上に表示されたソフトキーによる文字入力をせざるを得ない。
【００１２】
そこで、ＵＳＢ端子ではなく、最近のテレビジョン受像機の殆どが備えているＨＤＭＩ（High Definition Multimedia Interface）端子を利用して文字入力を行うことが考えられる。
【００１３】
例えば特許文献２に開示されているように、携帯電話をＨＤＭＩ端子経由でテレビジョン受像機と接続することで、携帯電話の文字入力機能を利用して、テレビジョン受像機の文字入力を行うことが考えられる。つまり、携帯電話をテレビジョン受像機の文字入力デバイスとして使用することが考えられる。
【００１４】
しかしながら、本願発明の時点において、ＨＤＭＩでは任意の機能の外部機器を接続して、その機能を利用することについて規定されておらず、特に、携帯電話を文字入力デバイスとして使う場合についても規定されていない。
【００１５】
本発明は、上記の問題点に鑑みなされたものであって、その目的は、ＨＤＭＩ接続において、任意の機能の外部機器を接続して、外部機器に接続された電子機器側でその任意の機能の利用を可能にすることことで、例えば外部機器として文字入力機能を備えた電子機器をテレビジョン受像機の文字入力デバイスとして使用できる電子機器を提供することにある。
【課題を解決するための手段】
【００１６】
本発明の電子機器は、上記の課題を解決するために、ＨＤＭＩ（High Definition Multimedia Interface）規格に準拠した信号伝送を行う信号伝送手段（信号ケーブル）を介して他の電子機器（ＴＶ）と接続される電子機器（携帯電話）であって、上記他の電子機器（ＴＶ）から、上記信号伝送手段を介して当該他の電子機器に割り当てられている各機能に対応付けられたＣＥＣ論理アドレスを一覧にしたＣＥＣ論理アドレス情報を取得する論理アドレス取得手段と、上記論理アドレス取得手段により取得されたＣＥＣ論理アドレス情報から、上記他の電子機器がサポートしている機能を特定する機能特定手段と、上記機能特定手段により特定された機能のうち、当該電子機器において追加する機能が含まれているか否かを判断する機能判断手段と、上記機能判断手段により、上記機能情報に、当該電子機器において追加するＨＤＭＩ機能が含まれている場合、追加するＨＤＭＩ機能を、上記他の電子機器に対して、当該電子機器を識別する識別ＩＤと対応付けてＨＤＭＩ追加機能として登録させる指示信号を出力する指示信号出力手段と備えていることを特徴としている。
【００１７】
上記構成によれば、電子機器は、他の電子機器とＨＤＭＩ規格に準拠した信号伝送を行う信号伝送手段を介して接続されている状態で、まず、上記他の電子機器から、上記信号伝送手段を介して当該他の電子機器に割り当てられている各機能に対応付けられたＣＥＣ論理アドレスを一覧にしたＣＥＣ論理アドレス情報を取得し、取得した論理アドレス情報から、上記他の電子機器がサポートしているＨＤＭＩ機能を特定する。次に、電子機器は、特定したＨＤＭＩ機能のうち、当該電子機器において追加するＨＤＭＩ機能が含まれているか否かを判断し、当該電子機器において追加するＨＤＭＩ機能が含まれている場合、追加するＨＤＭＩ機能を、上記他の電子機器に対して、当該電子機器を識別する識別ＩＤと対応付けてＨＤＭＩ追加機能として登録させる指示信号を出力する。
【００１８】
これにより、他の電子機器には、信号伝送手段による接続先の電子機器に登録されているＨＤＭＩ機能と同じＨＤＭＩ機能が追加登録されることになるので、他の電子機器あるいは電子機器の何れか一方において、共通のＨＤＭＩ機能を実行するようにすれば、電子機器側から他の電子機器においてＨＤＭＩ機能を使用することが可能となる。
【００１９】
従って、ＨＤＭＩ規格に準拠した信号伝送を行う信号伝送手段（信号ケーブル）を介して接続された２つの電子機器において、一方の電子機器における任意のＨＤＭＩ機能を他方の電子機器にいおいて利用可能にできる。
【００２０】
つまり、ＨＤＭＩ接続において、任意の機能の外部機器を接続して、外部機器に接続された電子機器側でその任意の機能の利用を可能にすることができる。
【００２１】
例えば、一方の電子機器を携帯電話機、他方の電子機器をテレビジョン受像機としたときに、携帯電話機の文字入力機能を、テレビジョン受像機において実行させることで、当該携帯電話機を文字入力デバイスとして使用できる。
【００２２】
本発明の電子機器は、テレビジョン受像機に対して、ＨＤＭＩ（High Definition Multimedia Interface）規格に準拠した信号伝送を行う信号伝送手段を介して接続される電子機器であって、上記テレビジョン受像機から、上記信号伝送手段を介して当該他の電子機器に割り当てられている各機能に対応付けられたＣＥＣ論理アドレスを一覧にしたＣＥＣ論理アドレス情報を取得する論理アドレス取得手段と、上記論理アドレス取得手段により取得されたＣＥＣ論理アドレス情報から、上記テレビジョン受像機がサポートしているＨＤＭＩ機能を特定するＨＤＭＩ機能特定手段と、上記ＨＤＭＩ機能特定手段により特定されたＨＤＭＩ機能のうち、当該電子機器において追加するＨＤＭＩ機能が含まれているか否かを判断するＨＤＭＩ機能判断手段と、上記ＨＤＭＩ機能判断手段により、上記ＨＤＭＩ機能情報に、当該電子機器において追加するＨＤＭＩ機能が含まれている場合、追加するＨＤＭＩ機能を、上記テレビジョン受像機に対して、当該電子機器を識別する識別ＩＤと対応付けてＨＤＭＩ追加機能として登録させる指示信号を出力する指示信号出力手段とを備えていることを特徴としている。
【００２３】
上記構成によれば、電子機器は、テレビジョン受像機とＨＤＭＩ規格に準拠した信号伝送を行う信号伝送手段を介して接続されている状態で、まず、上記テレビジョン受像機から、上記信号伝送手段を介して当該テレビジョン受像機に割り当てられている各機能に対応付けられたＣＥＣ論理アドレスを一覧にしたＣＥＣ論理アドレス情報を取得し、取得した論理アドレス情報から、上記テレビジョン受像機がサポートしているＨＤＭＩ機能を特定する。次に、電子機器は、特定したＨＤＭＩ機能のうち、当該電子機器において追加するＨＤＭＩ機能が含まれているか否かを判断し、当該電子機器において追加するＨＤＭＩ機能が含まれている場合、追加するＨＤＭＩ機能を、上記テレビジョン受像機に対して、当該電子機器を識別する識別ＩＤと対応付けてＨＤＭＩ追加機能として登録させる指示信号を出力する。
【００２４】
これにより、テレビジョン受像機には、信号伝送手段による接続先の電子機器に登録されているＨＤＭＩ機能と同じＨＤＭＩ機能が追加登録されることになるので、テレビジョン受像機あるいは電子機器の何れか一方において、共通のＨＤＭＩ機能を実行するようにすれば、電子機器側からテレビジョン受像機においてＨＤＭＩ機能を使用することが可能となる。
【００２５】
従って、ＨＤＭＩ規格に準拠した信号伝送を行う信号伝送手段（信号ケーブル）を介して接続された電子機器とテレビジョン受像機において、電子機器における任意のＨＤＭＩ機能をテレビジョン受像機にいおいて利用可能にできる。
【００２６】
例えば、上記の共通のＨＤＭＩ機能を文字入力機能とすれば、電子機器をテレビジョン受像機における文字入力デバイスとして使用できる。
【００２７】
具体的には、以下の構成によって実現できる。
【００２８】
すなわち、ユーザによる文字入力操作を受け付ける文字入力手段を有し、上記テレビジョン受像機がサポートしているＨＤＭＩ機能が文字入力機能であるとき、上記指示信号出力手段は、上記文字入力手段による文字入力操作を追加するＨＤＭＩ機能として、上記指示信号を出力する。
【００２９】
また、プログラムに沿って実行されるアプリケーションを実行するアプリケーション実行手段を有し、上記指示信号出力手段は、上記テレビジョン受像機にＨＤＭＩ追加機能が登録されている状態で、上記アプリケーション実行手段によるアプリケーションの実行の開始を検知すると、上記ＨＤＭＩ追加機能の登録を解除させる指示信号を出力することが好ましい。
【００３０】
これにより、電子機器からテレビジョン受像機において任意のＨＤＭＩ機能を実行している状態で、電子機器が任意のアプリケーションの実行開始時に、テレビジョン受像機に登録したＨＤＭＩ追加機能の登録を解除することで、電子機器側でのみ当該アプリケーションを実行させることができる。
【００３１】
機器本体の外部に存在する対象物を撮影する外部撮像手段を備え、上記テレビジョン受像機がサポートしているＨＤＭＩ機能が外部撮影機能であるとき、上記指示信号出力手段は、上記外部撮像手段による外部撮影機能を、追加するＨＤＭＩ機能として、上記指示信号を出力することが好ましい。
【００３２】
これにより、ＨＤＭＩ規格に準拠した信号伝送を行う信号伝送手段（信号ケーブル）を介して接続された電子機器とテレビジョン受像機において、電子機器における外部撮影機能をテレビジョン受像機にいおいて利用可能にできる。
【００３３】
機器本体の外部環境をセンシングするセンサ入力手段を備え、上記テレビジョン受像機がサポートしているＨＤＭＩ機能がセンサ入力機能であるとき、上記指示信号出力手段は、上記センサ入力手段によるセンサ入力機能を、追加するＨＤＭＩ機能として、上記指示信号を出力することが好ましい。
【００３４】
これにより、ＨＤＭＩ規格に準拠した信号伝送を行う信号伝送手段（信号ケーブル）を介して接続された電子機器とテレビジョン受像機において、電子機器におけるセンサ入力機能をテレビジョン受像機にいおいて利用可能にできる。
【００３５】
上記構成の電子機器の接続先となるテレビジョン受像機は、以下のような構成が好ましい。
【００３６】
すなわち、本発明のテレビジョン受像機は、電子機器と、ＨＤＭＩ（High Definition Multimedia Interface）規格に準拠した信号伝送を行う信号伝送手段を介して接続されるテレビジョン受像機であって、上記電子機器からの要求に応じて、自身に割り当てられているＣＥＣ論理アドレス情報を、上記信号伝送手段を介して当該電子機器に出力する論理アドレス出力手段と、上記電子機器からの要求に応じて、当該電子機器から上記信号伝送手段を介して送られた、追加するＨＤＭＩ機能と当該電子機器を識別する識別ＩＤとを対応付けたＨＤＭＩ追加機能を登録するＨＤＭＩ機能登録手段とを備えていることを特徴としています。
【発明の効果】
【００３７】
本発明の電子機器は、テレビジョン受像機に対して、ＨＤＭＩ（High Definition Multimedia Interface）規格に準拠した信号伝送を行う信号伝送手段を介して接続される電子機器であって、上記テレビジョン受像機から、上記信号伝送手段を介して当該他の電子機器に割り当てられている各機能に対応付けられたＣＥＣ論理アドレスを一覧にしたＣＥＣ論理アドレス情報を取得する論理アドレス取得手段と、上記論理アドレス取得手段により取得されたＣＥＣ論理アドレス情報から、上記テレビジョン受像機がサポートしているＨＤＭＩ機能を特定するＨＤＭＩ機能特定手段と、上記ＨＤＭＩ機能特定手段により特定されたＨＤＭＩ機能のうち、当該電子機器において追加するＨＤＭＩ機能が含まれているか否かを判断するＨＤＭＩ機能判断手段と、上記ＨＤＭＩ機能判断手段により、上記ＨＤＭＩ機能情報に、当該電子機器において追加するＨＤＭＩ機能が含まれている場合、追加するＨＤＭＩ機能を、上記テレビジョン受像機に対して、当該電子機器を識別する識別ＩＤと対応付けてＨＤＭＩ追加機能として登録させる指示信号を出力する指示信号出力手段とを備えていることで、ＨＤＭＩ規格に準拠した信号伝送を行う信号伝送手段（信号ケーブル）を介して接続された電子機器とテレビジョン受像機において、電子機器における任意のＨＤＭＩ機能をテレビジョン受像機にいおいて利用可能にできるという効果を奏する。
【図面の簡単な説明】
【００３８】
【図１】本発明の実施の形態に係るテレビジョン受像機文字入力システムの概略構成ブロック図である。
【図２】図１に示すテレビジョン受像機文字入力システムの携帯電話機に備えられたＨＤＭＩ機能制御部の機能ブロック図である。
【図３】図１に示すテレビジョン受像機文字入力システムの全体構成を示す概略図である。
【図４】ＣＥＣ論理アドレスに対応するデバイスを一覧にしたテーブルである。
【図５】携帯電話ＡとＴＶとをＨＤＭＩケーブルで接続した場合の処理シーケンスを示す図である。
【図６】動的な追加機能無効化の場合の処理シーケンスを示す図である。
【図７】ＴＶから、携帯電話Ａの文字入力機能を起動させるときの処理シーケンスを示す図である。
【図８】携帯電話Ａから文字入力機能を起動させるときの処理シーケンスを示す図である。
【図９】ＴＶにおける文字入力機能の起動処理の流れを示すフローチャートである。
【図１０】（ａ）〜（ｄ）は、携帯電話ＡにおけるＴＶ文字入力時の表示画面を示す図である。
【図１１】（ａ）〜（ｅ）は、ＴＶにおける文字入力時の表示画面を示す図である。
【図１２】本発明の他の実施の形態に係るライブカメラシステムの概略構成ブロック図である。
【図１３】図１２に示すライブカメラシステムのライブカメラに備えられたＨＤＭＩ機能制御部の機能ブロック図である。
【図１４】本発明のさらに他の実施の形態に係るセンサシステムの概略構成ブロック図である。
【図１５】図１４に示すセンサシステムのセンサに備えられたＨＤＭＩ機能制御部の機能ブロック図である。
【発明を実施するための形態】
【００３９】
本発明の一実施の形態について説明すれば、以下の通りである。
【００４０】
［テレビジョン受像機文字入力システム］
図３は、本実施の形態に係るテレビジョン受像機入力システムの概略構成を示す図である。
【００４１】
上記テレビジョン受像機入力システムは、図３に示すように、携帯電話機１が、ＨＤＭＩ（High Definition Multimedia Interface）規格に準拠した信号ケーブル２を介してテレビジョン受像機３と接続された構成となっている。すなわち、上記テレビジョン受像機入力システムでは、携帯電話機１とテレビジョン受像機３とが信号ケーブル２を介して通信可能に接続された構成となっている。
【００４２】
本実施の形態では、上記携帯電話機１は、電話機を携帯する形の移動体通信システムであり、電話機能だけでなく、メール・ブラウザ・音楽プレーヤなどの様々な機能を実装した電子機器として説明する。
【００４３】
また、本実施の形態では、上記テレビジョン受像機３は、テレビジョン放送の電波を受信し、映像と音声を表示(視聴)する為の受信機であり、ブラウザやメールなどの複数の機能を実装した電子機器として説明する。
【００４４】
そして、本実施の形態に係るテレビジョン受像機入力システムでは、携帯電話機１が有する文字入力機能を、テレビジョン受像機３におけるブラウザやメールなどの機能を実行した際に必要となる文字入力を行うためのキーボードとして機能させるようになっている。つまり、携帯電話機１とテレビジョン受像機３とが信号ケーブル２により接続されているとき、当該携帯電話機１を、テレビジョン受像機３の文字入力デバイスとして機能させるようになっている。
【００４５】
以下に、テレビジョン受像機入力システムの詳細について説明する。
【００４６】
［携帯電話機］
上記携帯電話機１は、図示しないが、送話部、受話部、及びアンテナ部を有し、内蔵された電子回路に情報を入力するための複数の操作キーが配置された操作部（文字入力手段）１１、上記電子回路に含まれる映像処理回路により処理された映像を表示する表示部１０を具備している。
【００４７】
上記携帯電話機１は、外部の信号発信装置（いわゆる無線基地局）から発信された通話音声等の音声信号をアンテナ部により受信し、受信した音声信号に基づく音声情報を受話部、或いはスピーカ（図示せず）から出力する音声受信機能に加え、外部の信号発信装置から発信された電子メール情報を伝送する無線信号をアンテナ部により受信し、受信した信号に基づく電子メール情報の映像を表示部１０に表示するメール受信機能を備えている。
【００４８】
さらに、上記携帯電話機１は、送話部に向けて発せられたユーザの通話音声を、音声信号としてアンテナ部から外部の信号受信装置（いわゆる無線基地局）に送信する音声送信機能に加え、ユーザにより作成された電子メール情報を伝送する無線信号をアンテナ部から外部の信号受信装置に送信するメール送信機能を備えている。作成中の電子メール情報を表す画像（以下、メール画像と称する）は、表示部１０に表示され、ユーザは、作成途中のメール画像を表示部１０により確認しながら、操作部１１に対する操作によって電子メール情報を入力することが出来る。
【００４９】
また、上記携帯電話機１は、上記信号ケーブル２を介して接続されたテレビジョン受像機３の表示画面に文字を入力するキーボード機能を有している。このキーボード機能の詳細は後述する。
【００５０】
［テレビジョン受像機］
上記テレビジョン受像機３は、リモートコントローラ９により、内蔵された電子回路を操作されると共に、上記電子回路に含まれる画像処理回路により処理された映像を表示する表示部３０を具備している。
【００５１】
［信号ケーブル］
上記携帯電話機１とテレビジョン受像機３とは、上述のように、信号ケーブル２により互いに接続されている。この信号ケーブル２は、ＨＤＭＩ規格に準拠した信号伝送を行う信号伝送手段であり、ＴＭＤＳ信号伝送ラインとＣＥＣ信号伝送ラインとを有している。
【００５２】
上記信号ケーブル２におけるＴＭＤＳ信号伝送ラインは、映像信号及び音声信号を一方向にのみ伝送可能であり、映像信号及び音声信号は、ＴＭＤＳ信号伝送ラインにより符号化（圧縮）されることなくベースバンド方式で伝送される。
【００５３】
従って、携帯電話機１とテレビジョン受像機３との間における信号の符号化方式の違いに影響されず、拡張性及び永続性（将来、新たな符号化方式を採用する機器とも接続できる可能性）に優れている。
【００５４】
一方、上記信号ケーブル２におけるＣＥＣ信号伝送ラインは、制御系の情報を双方向に伝送可能な信号伝送媒体である。従って、上記携帯電話機１とテレビジョン受像機３とは、信号ケーブル２のＣＥＣ信号伝送ラインを通じて当該テレビジョン受像機３を制御するための情報を互いに送受信する。
【００５５】
［テレビジョン受像機入力システム］
次に、図１に示す機能ブロック図を参照しながら、本実施の形態に係るテレビジョン受像機入力システムの各機能について説明する。
【００５６】
［携帯電話機］
先ず、携帯電話機１について説明する。
【００５７】
上記携帯電話機１は、上述した表示部１０、操作部１１の他に、画像処理部１２、制御部１３、アプリケーション実行部（アプリケーション実行手段）１４、ＨＤＭＩインターフェース１５を備えている。なお、図１に示す携帯電話機１では、一般的な携帯電話機に当然備えられている電話機能を実現するための通話部、受話部、ワンセグ機能を実現するためのチューナ等は、説明の便宜上省略している。
【００５８】
上記画像処理部１２は、制御部１３からの指示により、表示部１０に表示する画像を生成するようになっている。画像処理部１２は、制御部１３からの指示により、生成した画像を、ＨＤＭＩインターフェース１５から信号ケーブル２を介してテレビジョン受像機３に出力するようにもなっている。この場合には、携帯電話機１の表示部１０に表示される画像は、テレビジョン受像機３の表示部３０にも表示することが可能となる。
【００５９】
上記制御部１３は、操作部１１からの指示信号等の制御信号から、操作内容を検知し、検知した操作内容に応じて各種制御を実行するようになっている。制御部１３の詳細については後述する。
【００６０】
上記アプリケーション実行部１４は、携帯電話機１において実行可能なアプリケーション、例えばメール作成のためのアプリケーションなどを、操作部１１からの指示信号に基づいて実行するようになっている。
【００６１】
上記ＨＤＭＩインターフェース１５は、上述した２つの伝送ライン（ＣＥＣ信号伝送ライン、ＴＭＤＳ信号伝送ライン）に対応するＣＥＣ−ＩＦ１５ａ、ＴＭＤＳ−ＩＦ１５ｂからなっている。上記ＣＥＣ−ＩＦ１５ａは、制御部１３に接続され、上記ＴＭＤＳ−ＩＦ１５ｂは、画像処理部１２に接続されている。
【００６２】
ここで、上記制御部１３について説明する。
【００６３】
上記制御部１３は、図１に示すように、ＴＶ文字入力処理部１３０、ＴＶ文字入力切り替え制御部１３１、不揮発性メモリ１３２、ＭＰＵ（Micro Processing Unit）１３３、ＲＯＭ（Read Only Memory）１３４、ＨＤＭＩ機能制御部１３５を有している。
【００６４】
上記ＴＶ文字入力処理部１３０は、操作部１１からの操作信号（操作キー入力信号等）により、テレビジョン受像機３への文字入力を処理し、処理した結果を文字入力情報として、ＨＤＭＩインターフェース１５を介してテレビジョン受像機３側の制御部３２に出力ようになっている。
【００６５】
上記ＴＶ文字入力切り替え制御部１３１は、テレビジョン受像機３への文字入力機能のＯＮ／ＯＦＦを切り替え制御するようになっている。ＴＶ文字入力切り替え制御部１３１は、例えば、操作部１１からのユーザの指示により、テレビジョン受像機３への文字入力機能のＯＮ／ＯＦＦの切り替えを制御する。あるいは、信号ケーブル２によって携帯電話機１とテレビジョン受像機３とが接続されたことを検知したときに、強制的にテレビジョン受像機３への文字入力機能をＯＮするようにしてもよい。
【００６６】
上記不揮発性メモリ１３２は、電源を供給しなくても記憶を保持するメモリであり、携帯電話機１で作成したメール文書、撮影した写真、動画等を記憶するようになっている。
【００６７】
上記ＭＰＵ１３３は、後述するＲＯＭ１３４に格納されている各制御プログラムを解釈、実行するようになっている。
【００６８】
上記ＲＯＭ１３４は、携帯電話機１において制御すべき制御プログラムが格納されており、必要に応じて、上記ＭＰＵ１３３により読み出される。
【００６９】
上記ＨＤＭＩ機能制御部（ＨＤＭＩ機能登録手段）１３５は、テレビジョン受像機３に対して、携帯電話機１で実行されるＨＤＭＩ機能を登録させたり、解除させたりするためのＨＤＭＩ機能制御信号（指示信号）を出力するようになっている。
【００７０】
尚、図１において、ＨＤＭＩインターフェース１５が内蔵された携帯電話機１を示しているが、ＨＤＭＩインターフェース１５を内蔵していない携帯電話機の場合には、当該携帯電話機と、ＨＤＭＩインターフェース１５の役割を果たすＨＤＭＩ中継器を接続して携帯電話機ユニットを構成し、該携帯電話機ユニットとテレビジョン受像機３とを信号ケーブル２により接続する構成も可能である。
【００７１】
［テレビジョン受像機］
次に、テレビジョン受像機３について説明する。
【００７２】
上記テレビジョン受像機３は、上述した表示部３０の他に、画像処理部３１、制御部（論理アドレス出力手段）３２、リモコンＩ／Ｆ部３３、画像切り替え部３４、ＨＤＭＩインターフェース３５、チューナー３６を備えている。なお、図１に示すテレビジョン受像機３では、一般的なテレビジョン受像機に当然備えられている音声出力機能を実現するための音声処理部、アンプ、スピーカ等は、説明の便宜上省略している。
【００７３】
上記画像処理部３１は、入力される画像データから、制御部３２からの指示により、表示部３０に表示する画像を生成するようになっている。
【００７４】
上記制御部３２は、リモートコントローラ９からの指示信号等の制御信号から、操作内容を検知し、検知した操作内容に応じて各種制御を実行するようになっている。
【００７５】
上記制御部３２は、携帯電話機１からの要求に応じて、自身に割り当てられているＣＥＣ論理アドレスを、上記信号ケーブル２を介して当該携帯電話機１に出力し、上記携帯電話機１からの要求に応じて、当該携帯電話機１から上記信号ケーブル２を介して送られた、追加するＨＤＭＩ機能と当該携帯電話機１を識別する識別ＩＤとを対応付けたＨＤＭＩ追加機能を登録する。なお、制御部３２の詳細については後述する。
【００７６】
上記リモコンＩ／Ｆ部３３は、リモートコントローラ９（図３）からの指示信号を受信するためのインターフェースであり、受信した指示信号を制御信号として制御部３２に出力するようになっている。
【００７７】
上記画像切り替え部３４は、上記チューナー３６からの放送チャンネル信号に含まれる画像データ（映像データ）と、信号ケーブル２を介して、携帯電話機１から送信される画像データとを切り替えて、何れかの画像を画像処理部３１に出力するようになっている。
【００７８】
上記ＨＤＭＩインターフェース３５は、上述した２つの伝送ライン（ＣＥＣ信号伝送ライン、ＴＭＤＳ信号伝送ライン）に対応するＣＥＣ−ＩＦ３５ａ、ＴＭＤＳ−ＩＦ３５ｂからなっている。上記ＣＥＣ−ＩＦ３５ａは、制御部３２に接続され、上記ＴＭＤＳ−ＩＦ１５ｂは、画像処理部３４に接続されている。
【００７９】
上記チューナー３６は、放送チャネル信号を受信・選択して、受信した放送チャンネル信号を画像切り替え部３４に出力するようになっている。
【００８０】
ここで、上記制御部３２について説明する。
【００８１】
上記制御部３２は、図１に示すように、文字入力処理部３２０、文字入力切り替え制御部３２１、不揮発性メモリ３２２、ＭＰＵ（Micro Processing Unit）３２３、ＲＯＭ（Read Only Memory）３２４を有している。
【００８２】
上記文字入力処理部３２０は、リモコンＩ／Ｆ部３３から指示信号により、表示部３０への文字入力処理を行うようになっている。
【００８３】
上記文字入力切り替え制御部３２１は、テレビジョン受像機３本体の文字入力機能と、外部機器（ここでは、携帯電話機１）からの文字入力機能とを切り替えるようになっている。この切り替えＴＶ文字入力切り替え制御部１３１による、テレビジョン受像機３への文字入力機能の切り替えは、リモートコントローラ９の操作によって行われるが、信号ケーブル２によって携帯電話機１とテレビジョン受像機３とが接続され、携帯電話機１側で文字入力機能が起動されたときに、たことを検知したときに、テレビジョン受像機３本体の文字入力機能から、外部機器（ここでは、携帯電話機１）からの文字入力機能に切り替えるようにしてもよい。
【００８４】
上記不揮発性メモリ３２２は、電源を供給しなくても記憶を保持するメモリであり、後述する携帯電話機１からのＨＤＭＩ追加機能が登録されるようになっている。
【００８５】
上記ＭＰＵ３２３は、後述するＲＯＭ３２４に格納されている各制御プログラムを解釈、実行するようになっている。
【００８６】
上記ＲＯＭ３２４は、テレビジョン受像機３において制御すべき制御プログラムが格納されており、必要に応じて、上記ＭＰＵ３２３により読み出される。
【００８７】
上記テレビジョン受像機３の制御部３２は、ＨＤＭＩインターフェース３５のＣＥＣ−ＩＦ３５ａに接続されている。ＣＥＣ−ＩＦ３５ａは、信号ケーブル２のＣＥＣ信号伝送ライン２１を通じて携帯電話機１側のＨＤＭＩインターフェース１５のＣＥＣ−ＩＦ１５ａと繋がっている。従って、テレビジョン受像機３の制御部３２、信号ケーブル２のＣＥＣ信号伝送ライン２１を通じて携帯電話機１の制御部１３と繋がっていることになる。
【００８８】
テレビジョン受像機３の制御部３２は、信号ケーブル２のＣＥＣ信号伝送ライン２１を通じて携帯電話機１から制御情報要求信号を受信したとき、上記ＲＯＭ３２４に格納されている制御情報（論理アドレス情報等）を、ＨＤＭＩインターフェース３５のＣＥＣ−ＩＦ３５ａを介し、信号ケーブル２のＣＥＣ信号伝送ライン２１を通じて携帯電話機１の制御部１３に送信する。
【００８９】
携帯電話機１の制御部１３は、テレビジョン受像機３の制御部３２から取得した制御情報に基づき、当該携帯電話機１が実行すべきコマンドを作成し、作成したコマンドをテレビジョン受像機３に送信する。携帯電話機１の制御部１３から送信されたコマンドは、信号ケーブル２のＣＥＣ信号伝送ライン２１を通じて、ＨＤＭＩインターフェース３５のＣＥＣ−ＩＦ３５ａを介してテレビジョン受像機３の制御部３２に伝送される。
【００９０】
テレビジョン受像機３の制御部３２は、携帯電話機１から受信したコマンドを一時的に不揮発性メモリ３２２に格納する。
【００９１】
また、テレビジョン受像機３のチューナー３６は、地上波放送信号やＢＳ衛星放送信号等の複数の放送チャンネル信号を受信する。上記チューナー３６は、テレビジョン受像機３の制御部３２からの指示に応じて、複数の放送チャンネル信号の中から特定の放送チャンネル信号を選局し、選局した放送チャンネル信号に含まれる映像信号と音声信号のうち、映像信号を画像切り替え部３４に出力し、音声信号を音声切替部（図示せず）とに出力する。
【００９２】
上記画像切り替え部３４は、ＨＤＭＩインターフェース３５のＴＭＤＳ−ＩＦ３５ｂに接続されている。ＴＭＤＳ−ＩＦ３５ｂは、信号ケーブル２のＴＭＤＳ信号伝送ライン２２を通じて携帯電話機１側のＨＤＭＩインターフェース１５のＴＭＤＳ−ＩＦ１５ｂと繋がっている。従って、テレビジョン受像機３の画像切り替え部３４は、信号ケーブル２のＴＭＤＳ信号伝送ライン２２を通じて携帯電話機１の画像処理部１２と繋がっている。
【００９３】
携帯電話機１の画像処理部１２から出力された映像信号は、図示しない信号変換回路によりＨＤＭＩ規格に準拠した映像信号に変換された後、当該携帯電話機１側のＨＤＭＩインターフェース１５のＴＭＤＳ−ＩＦ１５ｂからテレビジョン受像機３に向けて送信される。携帯電話機１側のＨＤＭＩインターフェース１５のＴＭＤＳ−ＩＦ１５ｂから送信された映像信号は、信号ケーブル２のＴＭＤＳ信号伝送ライン２２を通じ、テレビジョン受像機３側のＨＤＭＩインターフェース３５のＴＭＤＳ−ＩＦ３５ｂを介してテレビジョン受像機３の画像切り替え部３４により受信される。
【００９４】
画像切り替え部３４は、テレビジョン受像機３の制御部３２の指示に応じて、チューナー３６から出力された映像信号（内部入力信号）と携帯電話機１から受信した映像信号（外部入力信号）の何れかを選択する。そして、画像切り替え部３４は、選択した映像信号（内部入力信号、或いは外部入力信号）を画像処理部３１に出力する。
【００９５】
また、上記制御部３２は、上記携帯電話機１から、外部入力信号の選択を指示するコマンド、即ちその携帯電話機１から受信した映像信号の選択を指示するコマンドを受信した場合、そのコマンドの内容に従った指示を上記画像切り替え部３４に対して出力する。
【００９６】
上記画像処理部３１は、画像切り替え部３４から入力された映像信号に対して各種の信号処理を施し、処理後の映像信号を表示部３０に対して出力する。これにより、表示部３０において、画像切り替え部３４によって切り替えられた映像信号に基づく映像が表示される。
【００９７】
上記テレビジョン受像機入力システムでは、携帯電話機１とテレビジョン受像機３とがＨＤＭＩ規格に準拠した信号伝送を行う信号ケーブル２を介して接続された状態で、携帯電話機１のキーボード機能を利用して、テレビジョン受像機３の表示部３０の表示画面に文字を入力を行うようになっている。この機能を実現するために、携帯電話機１には、上述したＨＤＭＩ機能制御部１３５が備えられている。以下に、ＨＤＭＩ機能制御部１３５の詳細について説明する。
【００９８】
［ＨＤＭＩ機能制御部の機能ブロック］
ＨＤＭＩ規格では、ＣＥＣ論理アドレスが端末（デバイス）種別を表しているので、そのＣＥＣ論理アドレスと対応するデバイスとの一覧（ＣＥＣ論理アドレス情報）からどのような機能をサポートしているのかを知ることが出来る。ここで取得する論理アドレス情報は、例えば図４に示すように、論理アドレスとデバイスとを対応付けたテーブルである。例えば、論理アドレス”０”は、デバイスとしてＴＶが対応付けられている。このテーブルは、ＨＤＭＩ規格のバージョン１．３の例を示しているので、ＨＤＭＩ規格の他のバージョンでは論理アドレスとデバイスとの対応関係は異なる。
【００９９】
ＣＥＣの論理アドレスが割り当てられた時点で、どの様な機能をサポートしているのかを表すことが出来るが、固定的に大まかな機能を通知するのみである。動的にアプリケーション依存の機能を通知することは出来ない。
【０１００】
ここで、電子機器がＨＤＭＩ規格に準拠した信号伝送を行うことが可能である場合、その電子機器をＨＤＭＩ機器と称して以下に説明する。
【０１０１】
そこで、本実施の形態では、ＨＤＭＩ機器（携帯電話機１）がサポートする機能でアプリケーション依存のものを動的に通知/利用する仕組みをまず構築する。その基盤を利用して、携帯電話機１がテレビジョン受像機３とＨＤＭＩケーブル（信号ケーブル２）で接続されているときに、当該携帯電話機１を文字入力デバイスとして利用できるようにする。
【０１０２】
ここで、ＨＤＭＩ機器がサポートする機能で、ＣＥＣ論理アドレスで通知している以外のＨＤＭＩへの追加の機能を、ＨＤＭＩ追加機能と称する。
【０１０３】
なお、テレビジョン受像機３とＨＤＭＩ機器間の各種制御コマンドのやり取りは、ＨＤＭＩのＣＥＣコマンドを使って行う。ＨＤＭＩのＣＥＣコマンドは送信可能なメッセージのサイズが約１０ｂｙｔｅ程度であり、伝送速度も１００ｍｓｅｃ程度で遅いという特徴がある。そのため、ＨＤＭＩインタフェースがＨＤＭＩ１．４から規定されているＨＥＡＣ（HDMI Ethernet（登録商標） and Audio Return Channel)をサポートしている場合は、ＨＥＡＣのイーサネット（登録商標）を通じて制御コマンドのやり取りをすることも考えられる。
【０１０４】
また、ＣＥＣコマンドに収まらない制御コマンドをＣＥＣコマンドを通じて伝送する場合は、複数のＣＥＣコマンドに分割して伝送を行う。
【０１０５】
ここで、ＨＤＭＩ追加機能を、テレビジョン受像機３とＨＤＭＩ機器（携帯電話機１）との間で認識するときに、その機能を識別するために一意に事前に決めたＩＤを用いる。このＩＤのことをＨＤＭＩ追加機能ＩＤと呼ぶことにする。ＨＤＭＩ追加機能提供側とＨＤＭＩ追加機能利用側で同一のＩＤを用いる場合と、提供側と利用側で別々のＩＤを用いる場合が考えられる。テレビジョン受像機３が常にＨＤＭＩ追加機能利用側の場合は前者の方法で十分である。
【０１０６】
テレビジョン受像機３は、ＨＤＭＩ追加機能ＩＤを公開することで、サポートしているＨＤＭＩ追加機能をＨＤＭＩ機器である携帯電話機１に通知する。ＨＤＭＩ機器は、テレビジョン受像機３のＨＤＭＩ追加機能ＩＤを読み出すことで、どのＨＤＭＩ追加機能が提供可能なのかを知ることが出来る。
【０１０７】
ＨＤＭＩ機器は、テレビジョン受像機３がサポートしているＨＤＭＩ追加機能を当該テレビジョン受像機３に登録する。これにより、テレビジョン受像機３はどのＨＤＭＩ機器でどのＨＤＭＩ追加機能が利用可能なのかを知ることが出来る。
【０１０８】
ＨＤＭＩ機器は、テレビジョン受像機３に登録するときに、ＨＤＭＩ追加機能の機能起動の優先度を申請することができる。「テレビジョン受像機３からの強制起動ＯＫ」「テレビジョン受像機３からの強制起動不可」のように優先度を決めておく。ここで、「テレビジョン受像機３からの強制起動ＯＫ」は、テレビジョン受像機３から、接続されているＨＤＭＩ機器に機能起動の問い合わせを行わずに、強制的に機能を起動できることを示す。また、「テレビジョン受像機３からの強制起動不可」は、テレビジョン受像機３から、接続されているＨＤＭＩ機器に機能起動の問い合わせを行い、その機能の起動はＨＤＭＩ機器から行うことを示す。
【０１０９】
上記の機能は、ＨＤＭＩ機器である、上記携帯電話機１の制御部１３に備えられたＨＤＭＩ機能制御部１３５によって実現される。
【０１１０】
すなわち、上記ＨＤＭＩ機能制御部１３５は、図２に示すように、論理アドレス取得部（論理アドレス取得手段）１３６、ＨＤＭＩ機能特定部（ＨＤＭＩ機能特定手段）１３７、ＨＤＭＩ機能判断部（ＨＤＭＩ機能判断手段）１３８、指示信号出力部（指示信号出力手段）１３９を有している。
【０１１１】
上記論理アドレス取得部１３６は、上記テレビジョン受像機３から、上記信号ケーブル２を介して当該テレビジョン受像機３に割り当てられているＨＤＭＩ規格におけるＣＥＣの論理アドレス情報を取得する。
【０１１２】
上記ＨＤＭＩ機能特定部１３７は、上記論理アドレス取得部１３６により取得された論理アドレス情報から、上記テレビジョン受像機３がサポートしているＨＤＭＩ機能を特定する。
【０１１３】
上記ＨＤＭＩ機能判断部１３８は、上記ＨＤＭＩ機能特定部１３７により特定されたＨＤＭＩ機能のうち、当該携帯電話機１において追加するＨＤＭＩ機能が含まれているか否かを判断する。
【０１１４】
上記指示信号出力部１３９は、上記ＨＤＭＩ機能判断部１３８により、上記ＨＤＭＩ機能情報に、当該携帯電話機１において追加するＨＤＭＩ機能が含まれている場合、追加するＨＤＭＩ機能を、上記テレビジョン受像機３に対して、当該携帯電話機１を識別する識別ＩＤと対応付けてＨＤＭＩ追加機能として登録させる指示信号を出力する。
【０１１５】
上記指示信号出力部１３９は、テレビジョン受像機３に対して登録すべきＨＤＭＩ追加機能を当該テレビジョン受像機３のＨＤＭＩ機能登録部としての不揮発性メモリ３２２に登録させるための指示を行う追加機能登録設定指示部１４０、不揮発性メモリ３２２に登録されているＨＤＭＩ追加機能を解除させるための指示を行う追加機能登録解除指示部１４１を有している。このＨＤＭＩ追加機能を、テレビジョン受像機３とＨＤＭＩ機器（携帯電話機１）との間で認識するときに、その機能を識別するために一意に事前に決めたＩＤを用いて、上述したＨＤＭＩ追加機能ＩＤとする。
【０１１６】
具体的には、携帯電話機１とテレビジョン受像機３とを信号ケーブル２によって接続したら、携帯電話機１は、上記ＨＤＭＩ機能制御部１３５によってテレビジョン受像機３がサポートするＨＤＭＩ追加機能を示した一覧（図４に示すテーブル）をＣＥＣの論理アドレス情報としてを取得する。そして、ＨＤＭＩ機能特定部１３７は、取得した一覧からテレビジョン受像機３がサポートしているＨＤＭＩ機能を特定する。ＨＤＭＩ機能判断部１３８は、特定したＨＤＭＩ機能の中に、携帯電話機１が追加しようとする文字入力に関する機能、すなわち外部機器による文字入力の機能が含まれているか否かを判断する。指示信号出力部１３９は、ＨＤＭＩ機能判断部１３８による判断結果が、テレビジョン受像機３が「外部機器による文字入力」をサポートしていると判断された結果である場合は、文字入力のＨＤＭＩ追加機能をテレビジョン受像機３に登録指示を行う。この指示は、指示信号出力部１３９の追加機能登録設定指示部１４０によってテレビジョン受像機３に対して行われ、不揮発性メモリ３２２に追加機能として「外部機器による文字入力」が登録される。
【０１１７】
ここで、テレビジョン受像機３で文字入力機能が立ち上げられたときに、常に携帯電話機１の文字入力機能を起動して欲しい場合は、優先度を「テレビジョン受像機からの強制起動ＯＫ」に設定して登録する。この優先度設定で登録されていて、テレビジョン受像機３が文字入力機能を立ち上げたときに、テレビジョン受像機３の設定が外部機器の優先利用となっていた場合、テレビジョン受像機３はユーザインターフェース（例えば表示部３０の表示画面上）での文字入力機能起動の問い合わせを行わずに、携帯電話機１の文字入力機能の立ち上げを強制的に行う。
【０１１８】
また、テレビジョン受像機３で文字入力機能が立ち上げられたときに、携帯電話機１のユーザインターフェース（例えば表示部１０の表示画面上）でテレビジョン受像機３の文字入力を起動するかどうかの確認を表示して、テレビジョン受像機３の文字入力を起動すると選択した場合のみ携帯電話機１によるテレビジョン受像機３の文字入力機能を起動したい場合は、「テレビジョン受像機３からの強制起動不可」に設定して登録する。
【０１１９】
ここまでの説明の具体的な処理内容について、図５〜図１１を参照しながら以下に説明する。ここでは、携帯電話機１を携帯電話Ａ、信号ケーブル２をＨＤＭＩケーブル、テレビジョン受像機３をＴＶ、リモートコントローラ９を赤外線リモコンとして説明する。
【０１２０】
［処理シーケンス（１）］
図５は、携帯電話ＡとＴＶとをＨＤＭＩケーブルで接続した場合の処理シーケンスの一例を示す。
【０１２１】
まず、ユーザＡによって、携帯電話ＡとＴＶとをＨＤＭＩケーブルで接続する。これにより、図５に示すように、携帯電話Ａによる、ＴＶに対するＨＤＭＩ追加機能の取得処理が実行される。ここで、携帯電話Ａは、ＴＶに対してＨＤＭＩ追加機能（文字入力機能）の登録要求を行う。これに対して、ＴＶは、携帯電話Ａに対して登録結果を返信する。
【０１２２】
これにより、携帯電話ＡからＴＶへの文字入力が可能な状態となる。
【０１２３】
［処理シーケンス（２）］
図６は、動的な追加機能無効化の場合の処理シーケンスを示す。
【０１２４】
次に、携帯電話ＡからＴＶへの文字入力が可能な状態で、ユーザＡにより、携帯電話Ａのメールアプリの立ち上げが行われる。このメールアプリの立ち上げをトリガにして、携帯電話Ａは、メールアプリ動作中はＴＶへの文字入力機能は無効化すると判断し、ＴＶに対して追加機能の登録解除要求を行う。これに対して、ＴＶは、携帯電話Ａに対して登録解除要求への返信を行う。
【０１２５】
これにより、携帯電話ＡからＴＶへの文字入力が不可能な状態となる。
【０１２６】
なお、メールアプリの終了をトリガにして、携帯電話Ａは、ＴＶに対してＨＤＭＩ追加機能（文字入力機能）の再登録要求を行う。これに対して、ＴＶは、携帯電話Ａに対して登録結果を返信する。
【０１２７】
これにより、再び、携帯電話ＡからＴＶへの文字入力が可能な状態となる。
【０１２８】
ここで、携帯電話ＡからＴＶへの文字入力が可能な状態では、ＴＶ側から携帯電話Ａの文字入力機能を起動させてもよいし、携帯電話Ａ側から文字入力機能を起動させてもよい。
【０１２９】
上記の処理は、上記指示信号出力部１３９が、上記テレビジョン受像機３にＨＤＭＩ追加機能が登録されている状態で、上記アプリケーション実行部１４によるアプリケーションの実行の開始を検知すると、上記ＨＤＭＩ追加機能の登録を解除させる指示信号を出力して、テレビジョン受像機３側でＨＤＭＩ追加機能の登録を解除することで実現できる。
【０１３０】
［処理シーケンス（３）］
図７は、ＴＶから、携帯電話Ａの文字入力機能を起動させるときの処理シーケンスを示す。
【０１３１】
はじめに、ＴＶは、図１１（ａ）に示す表示状態から、赤外線リモコンからの制御信号（文字入力起動のための制御信号）を受信すると、表示画面上の表示を、図１１（ｂ）に示す表示状態である、文字入力の画面に遷移させる。ここで、ＴＶの表示状態は、図１１（ｃ）に遷移し、ユーザによりＹｅｓが選択された場合、図１１（ｄ）に遷移し、現在ＴＶに接続されている、携帯電話Ａ、携帯電話Ｂの何れかがユーザに選択される。ここでは、ユーザが携帯電話Ａを選択するものとする。
【０１３２】
従って、ＴＶは、携帯電話Ａに対して、文字入力の起動を要求する。このとき、文字入力のモードの通知と、「日本語、カタカナ、アルファベット、数字」等の入力中の文字が存在するかどうかも通知する。
【０１３３】
これに対して、携帯電話Ａは、文字入力機能を起動させると共に、起動に成功したことをＴＶに通知する。このとき、携帯電話Ａは、図１０（ｃ）に示す表示画面から、図１０（ｄ）に示す表示画面に切り換わる。これにより、ＴＶは、図１１（ｅ）に示すように、外部機器による文字入力起動の画面を表示する。
【０１３４】
同時に、携帯電話Ａにおいて、ＴＶ文字入力ＵＩ（ユーザインターフェース）を有効化する。
【０１３５】
上記の状態で、ユーザＡによって、携帯電話Ａに文字が入力されると、携帯電話Ａは、入力された文字をＴＶに伝送する。ＴＶは、伝送された文字から表示画面上の文字の表示を更新する。このようなユーザＡによる文字入力操作が行われ、ユーザＡによって、携帯電話Ａから文字入力完了の要求がＴＶに対して行われると、ＴＶから文字入力の完了を了解した旨の通知が携帯電話Ａに伝送される。
【０１３６】
ここで、入力された文字に修正が必要な場合は、ＴＶは、エラーメッセージを通知して修正を要求する。
【０１３７】
ＴＶから文字入力の完了を了解した旨の通知が携帯電話Ａに伝送された後、ＴＶにおいて、外部機器にひょる文字入力処理を終了し、携帯電話Ａにおいて、ＴＶ文字入力ＵＩ（ユーザインターフェース）を無効化する。
【０１３８】
［処理シーケンス（４）］
図８は、携帯電話Ａから文字入力機能を起動させるときの処理シーケンスを示す。
【０１３９】
はじめに、ＴＶは、図１１（ａ）に示す表示状態から、赤外線リモコンからの制御信号（文字入力起動のための制御信号）が受信すると、表示画面上の表示を、図１１（ｂ）に示す表示状態である、文字入力の画面に遷移させると共に、携帯電話Ａに対して、文字入力機能の起動が可能であることを通知する。
【０１４０】
このとき、携帯電話Ａの表示画面に表示される待受け画面に、文字入力用のアイコンを設置する。これにより、例えば、図１０（ａ）に示すように、表示部１０に表示されている待ち受け画面上に、ＴＶ文字入力起動用アイコンが表示される。
【０１４１】
ユーザＡは、待ち受け画面上のＴＶ文字入力起動用アイコンを選択すると、続いて表示される図１０(ｂ)に示す表示画面から、ＴＶ文字入力を起動するか否かを選択する。ここでは、ユーザＡは、Ｙｅｓを選択するものとする。従って、携帯電話Ａは、ＴＶに対して、文字入力の起動の権限を要求する。これに対して、ＴＶは、携帯電話Ａでの文字入力を決定し、携帯電話Ａに対して文字入力の起動を要求する。このとき、文字入力のモードの通知と、「日本語、カタカナ、アルファベット、数字」等の入力中の文字が存在するかどうかも通知する。
【０１４２】
これに対して、携帯電話Ａは、表示画面に図１０（ｃ）に示す表示画面を表示させて、文字入力機能を起動させると共に、起動に成功したことをＴＶに通知する。これにより、ＴＶは、図１１（ｅ）に示す外部機器による文字入力起動の画面を表示する。
【０１４３】
また、携帯電話Ａは、ＴＶに対して入力中の文字があると通知された場合、図１０（ｄ）に示す表示状態で、ＴＶに対して入力中の文字取得を要求する。これに対して、ＴＶは、入力中の文字を携帯電話Ａに通知する。このとき、ＨＤＭＩでは、ＣＥＣコマンド一つあたりは、１０ｂｙｔｅ程度の短いデータしか送れないため、１０ｂｙｔｅを越えるような長いデータを送信する場合には、上述のように、複数のＣＥＣコマンドを使用する必要がある。このため、入力中の文字が多い場合は、複数のＣＥＣメッセージに分割して伝送することになる。
【０１４４】
そして、携帯電話Ａにおいて、ＴＶ文字入力ＵＩ（ユーザインターフェース）を有効化する。
【０１４５】
上記の状態で、ユーザＡによって、携帯電話Ａに文字が入力されると、携帯電話Ａは、入力された文字をＴＶに伝送する。ＴＶは、伝送された文字から表示画面上の文字の表示を更新する。このようなユーザＡによる文字入力操作が行われ、ユーザＡによって、携帯電話Ａから文字入力完了の要求がＴＶに対して行われると、ＴＶから文字入力の完了を了解した旨の通知が携帯電話Ａに伝送される。
【０１４６】
ここで、入力された文字に修正が必要な場合は、ＴＶは、エラーメッセージを通知して修正を要求する。
【０１４７】
ＴＶから文字入力の完了を了解した旨の通知が携帯電話Ａに伝送された後、ＴＶにおいて、外部機器にひょる文字入力処理を終了し、携帯電話Ａにおいて、ＴＶ文字入力ＵＩ（ユーザインターフェース）を無効化する。
【０１４８】
［文字入力起動処理］
図９は、ＴＶにおける文字入力機能の起動処理の流れを示すフローチャートである。
【０１４９】
まず、ＴＶへの文字入力起動指示が行われる（ステップＳ１）。ここでは、赤外線リモコン操作によりＴＶへの文字入力起動指示を行う。
【０１５０】
次に、ユーザが外部機器からの文字入力を選択した否かを判断する（ステップＳ２）。
【０１５１】
ステップＳ２において、ユーザが外部機器からの文字入力を選択しなかった場合、ステップＳ３に移行し、外部機器からの文字入力優先の設定が行われたか否かを判断する。ここで、外部機器からの文字入力優先の設定が行われていないと判断されれば、ステップＳ９に移行して、通常の文字入力起動を行う。通常の文字入力とは、ＴＶ側でリモコンや専用キーボード、ＵＳＢキーボードを使用して文字入力を行うことを示す。
【０１５２】
また、ステップＳ３において、外部機器からの文字入力優先の設定が行われていると判断された場合、ステップＳ４に移行し、文字入力可能な外部機器が接続されているか否かを判断する。
【０１５３】
一方、ステップＳ２において、ユーザが外部機器からの文字入力を選択した場合も、ステップＳ４に移行し、文字入力可能な外部機器が接続されているか否かを判断する。
【０１５４】
ステップＳ４において、文字入力可能な外部機器が接続されていないと判断されれば、ステップＳ９に移行して、通常の文字入力起動を行う。
【０１５５】
一方、ステップＳ４において、文字入力可能な外部機器が接続されていると判断されれば、ステップＳ５に移行して、ＴＶから外部機器の文字入力機能を起動するか否かが判断される。
【０１５６】
ステップＳ５において、ＴＶから外部機器の文字入力機能を起動すると判断されれば、ステップＳ６に移行して、外部機器からの文字入力起動を行う。
【０１５７】
一方、ステップＳ５において、ＴＶから外部機器の文字入力機能を起動しないと判断されれば、文字入力可能な外部機器に文字入力起動が可能であることを通知し（ステップＳ７）、外部機器から文字入力起動要求の有無が判断される（ステップＳ８）。
【０１５８】
ステップＳ８において、外部機器から文字入力起動要求が有ると判断されれば、外部機器からの文字入力起動を行う。
【０１５９】
一方、ステップＳ８において、外部機器から文字入力起動要求が無いと判断されれば、ステップＳ９に移行して、通常の文字入力起動を行う。
【０１６０】
以上のように、テレビジョン受像機入力システムにいて、ＴＶによる文字入力起動処理が行われる。
【０１６１】
従って、上記構成のテレビジョン受像機入力システムによれば、携帯電話機１とテレビジョン受像機３とをＨＤＭＩ規格に準拠した信号ケーブル２により通信可能に接続することにより、携帯電話機１が有する文字入力機能をＨＤＭＩ追加機能としてテレビジョン受像機３に登録することで、携帯電話機１をテレビジョン受像機３における文字入力デバイス（キーボード）として機能させることが可能となる。
【０１６２】
なお、本実施の形態では、上述したように、ＨＤＭＩ追加機能として、携帯電話機１の文字入力（キーボード）機能の例について説明したが、これに限定されるものではなく、カメラによる外部撮影機能や、センサによるセンサ入力機能をＨＤＭＩ追加機能として、テレビジョン受像機３に登録させてもよい。
【０１６３】
例えば、携帯電話機１の代わりに、テレビジョン受像機３に接続される電子機器として、外部撮影機能を実現するためのライブカメラを用いたライブカメラシステムや、センサ入力機能を実現するためのセンサを用いたセンサシステムをあげることができる。
。
【０１６４】
以下に、ライブカメラシステム、センサシステムについて説明する。
【０１６５】
[ライブカメラシステム]
図１２は、図１に示すシステムにおいて、携帯電話機１の代わりにライブカメラ４が、テレビジョン受像機３とＨＤＭＩ規格に準拠した信号ケーブル２により通信可能に接続されているライブカメラシステムを示す概略構成ブロック図である。
【０１６６】
上記ライブカメラ４は、図１２に示すように、機器本体（テレビジョン受像機）の外部に存在する対象物を撮影するための撮影手段であり、ＣＣＤ(電荷結合素子)などの撮像素子を通じてカメラに映っている画像を取り込むための撮像部（外部撮像手段）４１を具備しており、上記テレビジョン受像機３における外部カメラとして機能している。
【０１６７】
また、上記ライブカメラ４は、上述した撮像部４１の他に、画像処理部４２、制御部４３、ＨＤＭＩインターフェース４５を備えている。
【０１６８】
上記画像処理部４２は、制御部４３からの指示により、撮像部４１で取り込んだ画像を、ＨＤＭＩインターフェース４５から信号ケーブル２を介してテレビジョン受像機３に出力するようにもなっている。
【０１６９】
上記制御部４３は、ライブカメラ４の動作を制御している。この制御部４３の詳細については後述する。
【０１７０】
上記ＨＤＭＩインターフェース４５は、２つの伝送ライン（ＣＥＣ信号伝送ライン、ＴＭＤＳ信号伝送ライン）に対応するＣＥＣ−ＩＦ４５ａ、ＴＭＤＳ−ＩＦ４５ｂからなっている。上記ＣＥＣ−ＩＦ４５ａは、制御部４３に接続され、上記ＴＭＤＳ−ＩＦ４５ｂは、画像処理部４２に接続されている。
【０１７１】
ここで、上記制御部４３について説明する。
【０１７２】
上記制御部４３は、図１２に示すように、カメラ制御部４３１、不揮発性メモリ４３２、ＭＰＵ（Micro Processing Unit）４３３、ＲＯＭ（Read Only Memory）４３４、ＨＤＭＩ機能制御部４３５を有している。
【０１７３】
上記カメラ制御部４３１は、後述するテレビジョン受像機３からの制御信号に基づいて、撮像部４１の撮像動作を制御している。
【０１７４】
上記不揮発性メモリ４３２は、電源を供給しなくても記憶を保持するメモリであり、撮像部４１で撮影した写真、動画等を記憶するようになっている。
【０１７５】
上記ＭＰＵ４３３は、後述するＲＯＭ４３４に格納されている各制御プログラムを解釈、実行するようになっている。
【０１７６】
上記ＲＯＭ４３４は、ライブカメラ４において制御すべき制御プログラムが格納されており、必要に応じて、上記ＭＰＵ４３３により読み出される。
【０１７７】
上記ＨＤＭＩ機能制御部４３５は、テレビジョン受像機３に対して、ライブカメラ４で実行されるＨＤＭＩ機能を登録させたり、解除させたりするためのＨＤＭＩ機能制御信号（指示信号）を出力するようになっている。
【０１７８】
尚、図１２において、ＨＤＭＩインターフェース４５が内蔵されたライブカメラ４を示しているが、ＨＤＭＩインターフェース４５を内蔵していないライブカメラの場合には、当該ライブカメラと、ＨＤＭＩインターフェース４５の役割を果たすＨＤＭＩ中継器を接続してライブカメラユニットを構成し、該ライブカメラユニットとテレビジョン受像機３とを信号ケーブル２により接続する構成も可能である。
【０１７９】
上記ライブカメラシステムにおいて、テレビジョン受像機３の構成は、図１に示すシステムを構成するテレビジョン受像機３と基本的な構成は同じであるが、制御部３２の一部の構成が異なる。すなわち、図１２に示す制御部３２では、ライブカメラ４の制御を行うための２つの制御部（カメラ制御部３２５、カメラ入力切り替え制御部３２６）が文字入力のための２つの制御部（文字入力処理部３２０、文字入力切り替え制御部３２１）に置き換わった構成となっている。なお、他の構成要素については、図１に示す制御部３２と同じ機能を有するのであ、同じ符号を付記し、その説明は省略する。
【０１８０】
上記カメラ制御部３２５は、図示しないがテレビジョン受像機３本体に備えられたカメラまたは外部接続されているライブカメラ４の制御を行う。具体的には、後段のカメラ入力切り替え制御部３２６により切り替えられたカメラ、すなわち、カメラ入力として選択されたカメラの動作制御を行う。ここでは、カメラのＦｏｃｕｓの設定などの撮影の制御だけでなく、カメラの向く方向の制御も行う。
【０１８１】
上記カメラ入力切り替え制御部３２６は、テレビジョン受像機３本体に備えられたカメラからのカメラ入力機能と外部機器からのカメラ入力機能を切り替える。ここで、複数のカメラが外部機器として接続されている場合は、その中から選択を行う。
【０１８２】
上記ライブカメラシステムでは、ライブカメラ４とテレビジョン受像機３とがＨＤＭＩ規格に準拠した信号伝送を行う信号ケーブル２を介して接続された状態で、携帯電話機１のキーボード機能を利用して、テレビジョン受像機３の表示部３０の表示画面にライブカメラ４で撮影した映像の表示を行うようになっている。この機能を実現するために、ライブカメラ４には、上述したＨＤＭＩ機能制御部４３５が備えられている。以下に、ＨＤＭＩ機能制御部４３５の詳細について説明する。
【０１８３】
［ＨＤＭＩ機能制御部の機能ブロック］
テレビジョン受像機３は、ＨＤＭＩ追加機能ＩＤを公開することで、サポートしているＨＤＭＩ追加機能をＨＤＭＩ機器であるライブカメラ４に通知する。ＨＤＭＩ機器は、テレビジョン受像機３のＨＤＭＩ追加機能ＩＤを読み出すことで、どのＨＤＭＩ追加機能が提供可能なのかを知ることが出来る。
【０１８４】
ＨＤＭＩ機器は、テレビジョン受像機３がサポートしているＨＤＭＩ追加機能を当該テレビジョン受像機３に登録する。これにより、テレビジョン受像機３はどのＨＤＭＩ機器でどのＨＤＭＩ追加機能が利用可能なのかを知ることが出来る。
【０１８５】
ＨＤＭＩ機器は、テレビジョン受像機３に登録するときに、ＨＤＭＩ追加機能の機能起動の優先度を申請することができる。「テレビジョン受像機３からの強制起動ＯＫ」「テレビジョン受像機３からの強制起動不可」のように優先度を決めておく。ここで、「テレビジョン受像機３からの強制起動ＯＫ」は、テレビジョン受像機３から、接続されているＨＤＭＩ機器に機能起動の問い合わせを行わずに、強制的に機能を起動できることを示す。また、「テレビジョン受像機３からの強制起動不可」は、テレビジョン受像機３から、接続されているＨＤＭＩ機器に機能起動の問い合わせを行い、その機能の起動はＨＤＭＩ機器から行うことを示す。
【０１８６】
上記の機能は、ＨＤＭＩ機器である、上記ライブカメラ４の制御部４３に備えられたＨＤＭＩ機能制御部４３５によって実現される。
【０１８７】
すなわち、上記ＨＤＭＩ機能制御部４３５は、図１３に示すように、論理アドレス取得部４３６、ＨＤＭＩ機能特定部４３７、ＨＤＭＩ機能判断部４３８、指示信号出力部４３９を有している。
【０１８８】
上記論理アドレス取得部４３６は、上記テレビジョン受像機３から、上記信号ケーブル２を介して当該テレビジョン受像機３に割り当てられているＨＤＭＩ規格におけるＣＥＣの論理アドレス情報を取得する。
【０１８９】
上記ＨＤＭＩ機能特定部４３７は、上記論理アドレス取得部４３６により取得された論理アドレス情報から、上記テレビジョン受像機３がサポートしているＨＤＭＩ機能を特定する。
【０１９０】
上記ＨＤＭＩ機能判断部４３８は、上記ＨＤＭＩ機能特定部４３７により特定されたＨＤＭＩ機能のうち、当該ライブカメラ４において追加するＨＤＭＩ機能が含まれているか否かを判断する。
【０１９１】
上記指示信号出力部４３９は、上記ＨＤＭＩ機能判断部４３８により、上記ＨＤＭＩ機能情報に、当該ライブカメラ４において追加するＨＤＭＩ機能が含まれている場合、追加するＨＤＭＩ機能を、上記テレビジョン受像機３に対して、当該ライブカメラ４を識別する識別ＩＤと対応付けてＨＤＭＩ追加機能として登録させる指示信号を出力する。
【０１９２】
上記指示信号出力部４３９は、テレビジョン受像機３に対して登録すべきＨＤＭＩ追加機能を当該テレビジョン受像機３のＨＤＭＩ機能登録部としての不揮発性メモリ３２２に登録させるための指示を行う追加機能登録設定指示部４４０、不揮発性メモリ３２２に登録されているＨＤＭＩ追加機能を解除させるための指示を行う追加機能登録解除指示部４４１を有している。このＨＤＭＩ追加機能を、テレビジョン受像機３とＨＤＭＩ機器（ライブカメラ４）との間で認識するときに、その機能を識別するために一意に事前に決めたＩＤを用いて、上述したＨＤＭＩ追加機能ＩＤとする。
【０１９３】
具体的には、ライブカメラ４とテレビジョン受像機３とを信号ケーブル２によって接続したら、ライブカメラ４は、上記ＨＤＭＩ機能制御部４３５によってテレビジョン受像機３がサポートするＨＤＭＩ追加機能を示した一覧（図４に示すテーブル）をＣＥＣの論理アドレス情報としてを取得する。そして、ＨＤＭＩ機能特定部４３７は、取得した一覧からテレビジョン受像機３がサポートしているＨＤＭＩ機能を特定する。ＨＤＭＩ機能判断部４３８は、特定したＨＤＭＩ機能の中に、ライブカメラ４による外部撮像機能が含まれているか否かを判断する。指示信号出力部４３９は、ＨＤＭＩ機能判断部４３８による判断結果が、テレビジョン受像機３が「外部機器によるカメラ撮像」をサポートしていると判断された結果である場合は、外部撮影機能をＨＤＭＩ追加機能としてテレビジョン受像機３に登録指示を行う。この指示は、指示信号出力部４３９の追加機能登録設定指示部４４０によってテレビジョン受像機３に対して行われ、不揮発性メモリ３２２に追加機能として「外部撮影機能」が登録される。
【０１９４】
ここで、テレビジョン受像機３でカメラ撮像機能が立ち上げられたときに、常にライブカメラ４の外部撮影機能を起動して欲しい場合は、優先度を「テレビジョン受像機からの強制起動ＯＫ」に設定して登録する。この優先度設定で登録されていて、テレビジョン受像機３が外部撮影機能を立ち上げたときに、テレビジョン受像機３の設定が外部機器の優先利用となっていた場合、テレビジョン受像機３はユーザインターフェース（例えば表示部３０の表示画面上）での外部撮影機能起動の問い合わせを行わずに、ライブカメラ４による外部撮影機能の立ち上げを強制的に行う。
【０１９５】
また、テレビジョン受像機３で外部撮影機能が立ち上げられたときに、ライブカメラ４のユーザインターフェースでテレビジョン受像機３の外部撮影機能を起動するかどうかの確認を表示して、テレビジョン受像機３の外部撮影機能を起動すると選択した場合のみライブカメラ４によるテレビジョン受像機３の外部撮影機能を起動したい場合は、「テレビジョン受像機３からの強制起動不可」に設定して登録する。
【０１９６】
上記構成のライブカメラシステムによれば、ライブカメラ４とテレビジョン受像機３とをＨＤＭＩ規格に準拠した信号ケーブル２を通じて接続した状態で、ライブカメラ４をテレビジョン受像機３におけるカメラ撮影用のデバイスとして使用することを可能にする。
【０１９７】
[センサシステム]
図１４は、図１に示すシステムにおいて、携帯電話機１の代わりにセンサ５が、テレビジョン受像機３とＨＤＭＩ規格に準拠した信号ケーブル２により通信可能に接続されているセンサシステムを示す概略構成ブロック図である。
【０１９８】
上記センサ５は、図１４に示すように、センサ５の周りの環境（外部環境）やセンサ５自身の状態についての情報を取り込むためのセンサ入力部（センサ入力手段）５１を具備しており、上記テレビジョン受像機３における外部センサとして機能している。
【０１９９】
一般に、取り込む情報によって様々な種別のセンサが存在する。例えば、上記センサ５としては、位置情報を取り込む場合にはＧＰＳ（global positioning satellite）センサや加速度センサ、温度情報を取り込む場合には温度センサ、湿度情報を取り込む場合には湿度センサ、ＲＦＩＤタグ情報を取り込む場合にはＲＦＩＤタグｒｅａｄｅｒが用いられる。
【０２００】
また、上記センサ５は、上述したセンサ入力部５１の他に、情報処理部５２、制御部５３、ＨＤＭＩインターフェース５５を備えている。
【０２０１】
上記情報処理部５２は、制御部５３からの指示により、センサ入力部５１で取り込んだ情報を、ＨＤＭＩインターフェース５５から信号ケーブル２を介してテレビジョン受像機３に出力するようにもなっている。
【０２０２】
上記制御部５３は、センサ５の動作を制御している。この制御部５３の詳細については後述する。
【０２０３】
上記ＨＤＭＩインターフェース５５は、２つの伝送ライン（ＣＥＣ信号伝送ライン、ＴＭＤＳ信号伝送ライン）に対応するＣＥＣ−ＩＦ５５ａ、ＴＭＤＳ−ＩＦ５５ｂからなっている。上記ＣＥＣ−ＩＦ５５ａは、制御部５３に接続され、上記ＴＭＤＳ−ＩＦ５５ｂは、情報処理部５２に接続されている。
【０２０４】
ここで、上記制御部５３について説明する。
【０２０５】
上記制御部５３は、図１４に示すように、センサ制御部５３１、不揮発性メモリ５３２、ＭＰＵ（Micro Processing Unit）５３３、ＲＯＭ（Read Only Memory）５３４、ＨＤＭＩ機能制御部５３５を有している。
【０２０６】
上記センサ制御部５３１は、入力処理中のセンサ入力部５１の制御をしている。
【０２０７】
上記不揮発性メモリ４３２は、電源を供給しなくても記憶を保持するメモリであり、センサ入力部５１で取り込んだ情報を記憶するようになっている。
【０２０８】
上記ＭＰＵ４３３は、後述するＲＯＭ４３４に格納されている各制御プログラムを解釈、実行するようになっている。
【０２０９】
上記ＲＯＭ５３４は、センサ５においてセンシングすべき制御プログラムが格納されており、必要に応じて、上記ＭＰＵ５３３により読み出される。
【０２１０】
上記ＨＤＭＩ機能制御部５３５は、テレビジョン受像機３に対して、センサ５で実行されるＨＤＭＩ機能を登録させたり、解除させたりするためのＨＤＭＩ機能制御信号（指示信号）を出力するようになっている。
【０２１１】
尚、図１４において、ＨＤＭＩインターフェース５５が内蔵されたセンサ５を示しているが、ＨＤＭＩインターフェース５５を内蔵していないセンサの場合には、当該センサと、ＨＤＭＩインターフェース５５の役割を果たすＨＤＭＩ中継器を接続してセンサユニットを構成し、該センサユニットとテレビジョン受像機３とを信号ケーブル２により接続する構成も可能である。
【０２１２】
上記センサシステムにおいて、テレビジョン受像機３の構成は、図１に示すシステムを構成するテレビジョン受像機３と基本的な構成は同じであるが、制御部３２の一部の構成が異なる。すなわち、図１４に示す制御部３２では、センサ５の制御を行うための２つの制御部（センサ制御部３２７、センサ入力切り替え制御部３２８）が文字入力のための２つの制御部（文字入力処理部３２０、文字入力切り替え制御部３２１）に置き換わった構成となっている。なお、他の構成要素については、図１に示す制御部３２と同じ機能を有するのであ、同じ符号を付記し、その説明は省略する。
【０２１３】
上記センサ制御部３２７は、図示しないがテレビジョン受像機３本体に備えられたセンサまたは外部接続されているセンサ５の制御を行う。具体的には、後段のセンサ入力切り替え制御部３２８により切り替えられたセンサ、すなわち、センサ入力として選択されたセンサの動作制御を行う。。
【０２１４】
上記センサ入力切り替え制御部３２８は、テレビジョン受像機３本体に備えられたセンサからのセンサ入力機能と外部機器からのセンサ入力機能を切り替える。ここで、複数のセンサが外部機器として接続されている場合は、その中から選択を行う。
【０２１５】
上記センサシステムでは、センサ５とテレビジョン受像機３とがＨＤＭＩ規格に準拠した信号伝送を行う信号ケーブル２を介して接続された状態で、携帯電話機１のキーボード機能を利用して、テレビジョン受像機３の表示部３０の表示画面にセンサ５で取り込んだ情報に対応する映像の表示を行うようになっている。例えば、センサ５で取り込んだ情報が対象物の位置に関する情報であれば、対処物の現在位置を示す地図を上記表示部３０に表示する。このような機能を実現するために、センサ５には、上述したＨＤＭＩ機能制御部５３５が備えられている。以下に、ＨＤＭＩ機能制御部５３５の詳細について説明する。
【０２１６】
［ＨＤＭＩ機能制御部の機能ブロック］
テレビジョン受像機３は、ＨＤＭＩ追加機能ＩＤを公開することで、サポートしているＨＤＭＩ追加機能をＨＤＭＩ機器であるセンサ５に通知する。ＨＤＭＩ機器は、テレビジョン受像機３のＨＤＭＩ追加機能ＩＤを読み出すことで、どのＨＤＭＩ追加機能が提供可能なのかを知ることが出来る。
【０２１７】
ＨＤＭＩ機器は、テレビジョン受像機３がサポートしているＨＤＭＩ追加機能を当該テレビジョン受像機３に登録する。これにより、テレビジョン受像機３はどのＨＤＭＩ機器でどのＨＤＭＩ追加機能が利用可能なのかを知ることが出来る。
【０２１８】
ＨＤＭＩ機器は、テレビジョン受像機３に登録するときに、ＨＤＭＩ追加機能の機能起動の優先度を申請することができる。「テレビジョン受像機３からの強制起動ＯＫ」「テレビジョン受像機３からの強制起動不可」のように優先度を決めておく。ここで、「テレビジョン受像機３からの強制起動ＯＫ」は、テレビジョン受像機３から、接続されているＨＤＭＩ機器に機能起動の問い合わせを行わずに、強制的に機能を起動できることを示す。また、「テレビジョン受像機３からの強制起動不可」は、テレビジョン受像機３から、接続されているＨＤＭＩ機器に機能起動の問い合わせを行い、その機能の起動はＨＤＭＩ機器から行うことを示す。
【０２１９】
上記の機能は、ＨＤＭＩ機器である、上記センサ５の制御部５３に備えられたＨＤＭＩ機能制御部５３５によって実現される。
【０２２０】
すなわち、上記ＨＤＭＩ機能制御部５３５は、図１５に示すように、論理アドレス取得部５３６、ＨＤＭＩ機能特定部５３７、ＨＤＭＩ機能判断部５３８、指示信号出力部５３９を有している。
【０２２１】
上記論理アドレス取得部５３６は、上記テレビジョン受像機３から、上記信号ケーブル２を介して当該テレビジョン受像機３に割り当てられているＨＤＭＩ規格におけるＣＥＣの論理アドレス情報を取得する。
【０２２２】
上記ＨＤＭＩ機能特定部５３７は、上記論理アドレス取得部５３６により取得された論理アドレス情報から、上記テレビジョン受像機３がサポートしているＨＤＭＩ機能を特定する。
【０２２３】
上記ＨＤＭＩ機能判断部５３８は、上記ＨＤＭＩ機能特定部５３７により特定されたＨＤＭＩ機能のうち、当該センサ５において追加するＨＤＭＩ機能が含まれているか否かを判断する。
【０２２４】
上記指示信号出力部５３９は、上記ＨＤＭＩ機能判断部５３８により、上記ＨＤＭＩ機能情報に、当該センサ５において追加するＨＤＭＩ機能が含まれている場合、追加するＨＤＭＩ機能を、上記テレビジョン受像機３に対して、当該センサ５を識別する識別ＩＤと対応付けてＨＤＭＩ追加機能として登録させる指示信号を出力する。
【０２２５】
上記指示信号出力部５３９は、テレビジョン受像機３に対して登録すべきＨＤＭＩ追加機能を当該テレビジョン受像機３のＨＤＭＩ機能登録部としての不揮発性メモリ３２２に登録させるための指示を行う追加機能登録設定指示部５４０、不揮発性メモリ３２２に登録されているＨＤＭＩ追加機能を解除させるための指示を行う追加機能登録解除指示部５４１を有している。このＨＤＭＩ追加機能を、テレビジョン受像機３とＨＤＭＩ機器（センサ５）との間で認識するときに、その機能を識別するために一意に事前に決めたＩＤを用いて、上述したＨＤＭＩ追加機能ＩＤとする。
【０２２６】
具体的には、センサ５とテレビジョン受像機３とを信号ケーブル２によって接続したら、センサ５は、上記ＨＤＭＩ機能制御部５３５によってテレビジョン受像機３がサポートするＨＤＭＩ追加機能を示した一覧（図４に示すテーブル）をＣＥＣの論理アドレス情報としてを取得する。そして、ＨＤＭＩ機能特定部５３７は、取得した一覧からテレビジョン受像機３がサポートしているＨＤＭＩ機能を特定する。ＨＤＭＩ機能判断部５３８は、特定したＨＤＭＩ機能の中に、センサ５によるセンサ入力機能が含まれているか否かを判断する。指示信号出力部５３９は、ＨＤＭＩ機能判断部５３８による判断結果が、テレビジョン受像機３が「センサ入力機能」をサポートしていると判断された結果である場合は、センサ入力機能をＨＤＭＩ追加機能としてテレビジョン受像機３に登録指示を行う。この指示は、指示信号出力部５３９の追加機能登録設定指示部５４０によってテレビジョン受像機３に対して行われ、不揮発性メモリ３２２に追加機能として「センサ入力機能」が登録される。
【０２２７】
ここで、テレビジョン受像機３でセンサ入力機能が立ち上げられたときに、常にセンサ５のセンサ入力機能を起動して欲しい場合は、優先度を「テレビジョン受像機からの強制起動ＯＫ」に設定して登録する。この優先度設定で登録されていて、テレビジョン受像機３がセンサ入力機能を立ち上げたときに、テレビジョン受像機３の設定が外部機器の優先利用となっていた場合、テレビジョン受像機３はユーザインターフェース（例えば表示部３０の表示画面上）でのセンサ入力機能起動の問い合わせを行わずに、センサ５によるセンサ入力機能の立ち上げを強制的に行う。
【０２２８】
また、テレビジョン受像機３でセンサ入力機能が立ち上げられたときに、センサ５のユーザインターフェースでテレビジョン受像機３のセンサ入力機能を起動するかどうかの確認を表示して、テレビジョン受像機３のセンサ入力機能を起動すると選択した場合のみセンサ５によるテレビジョン受像機３のセンサ入力機能を起動したい場合は、「テレビジョン受像機３からの強制起動不可」に設定して登録する。
【０２２９】
上記構成のセンサシステムによれば、センサ５とテレビジョン受像機３とをＨＤＭＩ規格に準拠した信号ケーブル２を通じて接続した状態で、センサ５をテレビジョン受像機３におけるセンサ入力機能を実現するためのデバイスとして使用することを可能にする。
【０２３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３１】
本発明は、テレビジョン受像機とＨＤＭＩ端子による接続が可能なＨＤＭＩ機器全般に利用することができる。特に、携帯電話機、カメラ、センサーなどにおいてＨＤＭＩ端子による接続が可能な電子機器に利用することができる。
【符号の説明】
【０２３２】
１  携帯電話機
２  信号ケーブル
３  テレビジョン受像機
４  ライブカメラ
５  センサ
９  リモートコントローラ
１０  表示部
１１  操作部（文字入力手段）
１２  画像処理部
１３  制御部
１４  アプリケーション実行部（アプリケーション実行手段）
１５  ＨＤＭＩインターフェース
２１  ＣＥＣ信号伝送ライン
２２  ＴＭＤＳ信号伝送ライン
３０  表示部
３１  画像処理部
３２  制御部（ＨＤＭＩ機能登録手段）
３３  リモコンＩ／Ｆ部
３４  画像処理部
３５  ＨＤＭＩインターフェース
３６  チューナー
４１  撮像部（外部撮像手段）
５１  センサ入力部（センサ入力手段）
１３０  ＴＶ文字入力処理部
１３１  制御部
１３２  不揮発性メモリ
１３３  ＭＰＵ
１３４  ＲＯＭ
１３５  ＨＤＭＩ機能制御部
１３６  論理アドレス取得部（論理アドレス取得手段）
１３７  ＨＤＭＩ機能特定部（ＨＤＭＩ機能特定手段）
１３８  ＨＤＭＩ機能判断部（ＨＤＭＩ機能判断手段）
１３９  指示信号出力部（指示信号出力手段）
１４０  追加機能登録設定指示部
１４１  追加機能登録解除指示部
３２０  文字入力処理部
３２１  制御部
３２２  不揮発性メモリ
３２３  ＭＰＵ
３２４  ＲＯＭ
３２５  カメラ制御部
３２６  制御部
３２７  センサ制御部
３２８  制御部
４３１  カメラ制御部
４３２  不揮発性メモリ
４３３  ＭＰＵ
４３４  ＲＯＭ
４３５  ＨＤＭＩ機能制御部
４３６  論理アドレス取得部
４３７  ＨＤＭＩ機能特定部
４３８  ＨＤＭＩ機能判断部
４３９  指示信号出力部
４４０  追加機能登録設定指示部
４４１  追加機能登録解除指示部
５３１  センサ制御部
５３２  不揮発性メモリ
５３３  ＭＰＵ
５３４  ＲＯＭ
５３５  ＨＤＭＩ機能制御部
５３６  論理アドレス取得部
５３７  ＨＤＭＩ機能特定部
５３８  ＨＤＭＩ機能判断部
５３９  指示信号出力部
５４０  追加機能登録設定指示部
５４１  追加機能登録解除指示部
【図１】
2012004742.tif 000003
【図２】
2012004742.tif 000004
【図３】
2012004742.tif 000005
【図４】
2012004742.tif 000006
【図５】
2012004742.tif 000007
【図６】
2012004742.tif 000008
【図７】
2012004742.tif 000009
【図８】
2012004742.tif 000010
【図９】
2012004742.tif 000011
【図１０】
2012004742.tif 000012
【図１１】
2012004742.tif 000013
【図１２】
2012004742.tif 000014
【図１３】
2012004742.tif 000015
【図１４】
2012004742.tif 000016
【図１５】
2012004742.tif 000017